(57)【要約】【課題】既に光ファイバー等を使用した外部ネットワークによりテレビ電話環境が構築されている住居において、通信契約や外部への通信インフラストラクチャーを追加することなく、玄関子機と、室内および外部の通信機器とで通話できるようにする。【解決手段】玄関に設置される玄関子機１と、室内に設置され玄関子機からの呼び出しに応じて通話を行なう室内親機２と、伝送線Ｌ１を介して室内親機に接続されたゲートウェイ３と、ネットワーク配線Ｌ２を介してゲートウェイに接続されたＩＰ電話回線終端装置４と、外部ネットワークＬ３を介してＩＰ電話回線終端装置に接続される外部端末５Ａ、５Ｂを備え、ゲートウェイは、玄関子機からの呼出操作に基づく呼出信号を伝送線を介して受信すると、ＩＰ電話回線終端装置に外線発信信号を送り、玄関子機と外部端末との通話路を確立する信号変換回路３１を備えている。【選択図】図１
2007274177.tif 000002
【特許請求の範囲】
【請求項１】
玄関に設置される玄関子機（１）と、室内に設置され前記玄関子機からの呼び出しに応じて通話を行なう室内親機（２）と、伝送線（Ｌ１）を介して前記室内親機に接続されたゲートウェイ（３）と、ネットワーク配線（Ｌ２）を介して前記ゲートウェイに接続されたＩＰ電話回線終端装置（４）と、外部ネットワーク（Ｌ３）を介して前記ＩＰ電話回線終端装置に接続される外部端末（５Ａ、５Ｂ）を備え、
前記ゲートウェイは、前記玄関子機からの呼出操作に基づく呼出信号を前記伝送線を介して受信すると、前記ＩＰ電話回線終端装置に外線発信信号を送り、前記玄関子機と前記外部端末との通話路を確立する信号変換回路（３１）を備えたことを特徴とするインターホンシステム。
【請求項２】
前記通話路による通話はテレビ電話通話であり、前記玄関子機は、前記テレビ電話の映像信号として前記玄関子機から前記外部端末へ信号を伝送するカメラ（１３）を備えると共に、前記ゲートウェイは、前記外部端末から前記玄関子機への映像信号入力があった場合に、映像信号入力を阻止して音声信号のみを通過させる信号変換回路（３１）を備えたことを特徴とする請求項１記載のインターホンシステム。
【請求項３】
前記外部端末は公衆網に接続されたテレビ電話（５Ａ）であることを特徴とする請求項２記載のインターホンシステム。
【請求項４】
前記外部端末は携帯電話網に接続されたテレビ電話機能付携帯電話（５Ｂ）であることを特徴とする請求項２記載のインターホンシステム。
【請求項５】
居室内に電話装置（６Ａ、６Ｂ）を備え、前記ゲートウェイは、前記玄関子機からの呼出操作に基づく呼出信号を前記伝送線を介して受信すると、前記ネットワーク配線を介して前記電話装置に内線発信信号を送り、前記玄関子機と前記電話装置との通話路を確立する信号変換回路（３１）を備えたことを特徴とする請求項１記載のインターホンシステム。
【請求項６】
前記電話装置はモニタ（６１）を備え、前記玄関子機は、映像信号として前記玄関子機から前記電話装置へ信号を伝送するカメラ（１３）を備えたことを特徴とする請求項５記載のインターホンシステム。
【請求項７】
前記ゲートウェイは、前記外部端末から外線着信信号を受けた時には、前記室内親機に対してモニタ開始信号を送出し、前記玄関子機と前記外部端末との通話路を確立する制御信号変換回路（３１）を備えたことを特徴とする請求項１乃至請求項４のうち何れか１項記載のインターホンシステム。
【請求項８】
前記ゲートウェイは、前記外部端末から外線着信信号を着信するための機器固有の電話番号をもつことにより、前記機器固有の電話番号以外による着信を無視する信号変換回路（３１）を備えたことを特徴とする請求項７記載のインターホンシステム。
【請求項９】
前記ゲートウェイは、前記電話装置から内線着信信号を受けた時には、前記室内親機に対してモニタ開始信号を送出し、前記玄関子機と前記電話装置との通話路を確立する制御信号変換回路（３１）を備えたことを特徴とする請求項５または請求項６記載のインターホンシステム。
【請求項１０】
前記ゲートウェイは、前記玄関子機からの映像信号を前記テレビ電話、前記テレビ電話機能付携帯電話、前記電話装置の少なくとも１つで再生可能な映像信号に変換するための信号変換回路（３１）を備えたことを特徴とする請求項３、請求項４または請求項６記載のインターホンシステム。
【請求項１１】
前記ゲートウェイは、通話路を確立している時点で前記外部端末からＤＴＭＦ等の電気錠解錠信号が入力した時には、前記室内親機に対して電気錠解錠データ信号に変換して送出する信号変換回路（３１）を備えたことを特徴とする請求項１乃至請求項１０のうち何れか１項記載のインターホンシステム。
【請求項１２】
前記ゲートウェイまたは前記室内親機は、前記外部端末と前記玄関子機との前記通話路を確立した際に、前記外部端末からの音声信号を遮断し、前記玄関子機からの映像信号又は音声信号を通過させて前記玄関子機からの片方向通話とする信号変換回路（３１）を備えたことを特徴とする請求項１乃至請求項１１のうち何れか１項記載のインターホンシステム。
【請求項１３】
前記ゲートウェイは、前記外部端末からＤＴＭＦ等の通話開始信号が入力した時には、前記ネットワーク配線からの音声信号を通過させて双方向通話を開始する信号変換回路（３１）を備えたことを特徴とする請求項１２記載のインターホンシステム。
【請求項１４】
前記ゲートウェイは、前記外部端末から一定レベル以上の音声信号が入力した時には、前記ネットワーク配線からの音声信号を通過させて双方向通話を開始する信号変換回路（３１）を備えたことを特徴とする請求項１２記載のインターホンシステム。
【請求項１５】
前記室内親機は、火災感知器等のセキュリティ機器（８）が接続できるものであって、前記ゲートウェイは、前記室内親機からセキュリティ発報信号を受信した時、前記外部端末に対して外線呼出を行なうと共に、通話路が確立された時点でセキュリティ信号としての音声又は画像信号を送出する信号変換回路（３１）を備えたことを特徴とする請求項１乃至請求項１４のうち何れか１項記載のインターホンシステム。
【発明の詳細な説明】
【技術分野】
【０００１】
本発明は、光ファイバー等を使用した外部ネットワークにより住居内にテレビ電話環境が構築されているインターホンシステムに係り、特に、玄関子機から送信された呼出信号を映像信号と共に受信し、遠隔地で玄関子機からの呼び出しに容易に応答できるインターホンシステムに関する。
【背景技術】
【０００２】
従来から、携帯電話と室内親機との間で、通話と共に室内親機に接続されている電気錠やセキュリティセンサのデータ送受を行うことができるインターホン装置が知られている（例えば、特許文献１参照）。このインターホン装置は、訪問者が玄関子機の呼出ボタンで室内親機を呼び出した際、室内親機が転送モードに設定されていると、呼出信号は室内親機が有するＰＨＳカードから携帯電話網を介して外出中の居住者が携帯する携帯電話に送信される。居住者は、訪問者を住居内に招き入れるために、携帯電話で電気錠を解錠する操作を行うと、解除信号が携帯電話網からＰＨＳカードを介して室内親機に送信される。室内親機は解除信号に基づき電気錠を解錠することができる。また、玄関子機と移動端末とは、室内親機のＰＨＳカードと携帯電話網を介して通話することができる。
【０００３】
【特許文献１】特開２００４−２６０７３５号公報。
【発明の開示】
【発明が解決しようとする課題】
【０００４】
しかしながら、背景技術に記載したインターホン装置は、ＰＨＳカード等の基本料金、サーバー利用料が必要であり、かつ、それらの利用には回線事業者との契約が必要であったため、月額使用料が高くなるとともに、契約の面倒さから一般の人が利用することはほとんどなかった。
【０００５】
本発明は、このような従来の難点を解決するためになされたもので、既に光ファイバー等を使用した外部ネットワークによりテレビ電話環境が構築されている住居において、通信契約や外部への通信インフラストラクチャーを追加することなく、玄関子機と、室内および外部の通信機器とで通話できるインターホンシステムを提供することを目的とする。
【課題を解決するための手段】
【０００６】
上述の目的を達成する本発明の第１の態様であるインターホンシステムは、玄関に設置される玄関子機と、室内に設置され玄関子機からの呼び出しに応じて通話を行なう室内親機と、伝送線を介して室内親機に接続されたゲートウェイと、ネットワーク配線を介してゲートウェイに接続されたＩＰ電話回線終端装置と、外部ネットワークを介してＩＰ電話回線終端装置に接続される外部端末を備え、ゲートウェイは、玄関子機からの呼出操作に基づく呼出信号を伝送線を介して受信すると、ＩＰ電話回線終端装置に外線発信信号を送り、玄関子機と外部端末との通話路を確立する信号変換回路を備えたものである。
【０００７】
このような第１の態様によるインターホンシステムによれば、インターネット通信用のＩＰ電話回線終端装置と、玄関子機との通信用の室内親機とを接続したゲートウェイが玄関子機からの呼出操作に基づく呼出信号を伝送線を介して受信すると、ＩＰ電話回線終端装置に外線発信信号を送り、玄関子機と外部端末との通話路を確立できるように制御するので、通信契約や外部への通信インフラストラクチャーを追加することなく、玄関子機と外部端末で通話できる状態にすることができる。
【０００８】
本発明の第２の態様は第１の態様であるインターホンシステムにおいて、通話路による通話はテレビ電話通話であり、玄関子機は、テレビ電話の映像信号として玄関子機から外部端末へ信号を伝送するカメラを備えると共に、ゲートウェイは、外部端末から玄関子機への映像信号入力があった場合に、映像信号入力を阻止して音声信号のみを通過させる信号変換回路を備えたものである。このようなインターホンシステムによれば、通話がテレビ電話通話であっても玄関子機と外部端末との通話の場合には、外部端末からの映像信号を阻止することで映像信号が一方向でしか伝送されないインターホン装置の通信インターフェースとの整合を取ることができる。
【０００９】
本発明の第３の態様は第２の態様であるインターホンシステムにおいて、外部端末は公衆網に接続されたテレビ電話である。また、本発明の第４の態様は第２の態様であるインターホンシステムにおいて、外部端末は携帯電話網に接続されたテレビ電話機能付携帯電話である。このようなインターホンシステムによれば、外部端末は既存の機器を使用することができ、特にテレビ電話機能付携帯電話は数多く普及しているため、追加機器の購入が不要である。
【００１０】
本発明の第５の態様は第１の態様であるインターホンシステムにおいて、居室内に電話装置を備え、ゲートウェイは、玄関子機からの呼出操作に基づく呼出信号を伝送線を介して受信すると、ネットワーク配線を介して電話装置に内線発信信号を送り、玄関子機と電話装置との通話路を確立する信号変換回路を備えたものである。このようなインターホンシステムによれば、ネットワーク配線に接続された電話装置で玄関子機と通話できるようになる。
【００１１】
本発明の第６の態様は第５の態様であるインターホンシステムにおいて、電話装置はモニタを備え、玄関子機は、映像信号として玄関子機から電話装置へ信号を伝送するカメラを備えたものである。このようなインターホンシステムによれば、ネットワーク配線に接続された電話装置で玄関の様子を玄関子機にてモニタしながら通話できるようになる。
【００１２】
本発明の第７の態様は第５の態様であるインターホンシステムにおいて、ゲートウェイは、外部端末から外線着信信号を受けた時には、室内親機に対してモニタ開始信号を送出し、玄関子機と外部端末との通話路を確立する信号変換回路を備えたものである。このようなインターホンシステムによれば、外出中の居住者が外線となる外部端末で玄関子機を操作して玄関の状態をモニタできるようになる。
【００１３】
本発明の第８の態様は第７の態様であるインターホンシステムにおいて、ゲートウェイは、外部端末から外線着信信号を着信するための機器固有の電話番号をもつことにより、機器固有の電話番号以外による着信を無視する信号変換回路を備えたものである。このようなインターホンシステムによれば、ネットワーク配線に接続された電話装置が、ゲートウェイが玄関子機へ送出したモニタ開始信号に対して誤応答することを防ぐことができる。
【００１４】
本発明の第９の態様は第５の態様または第６の態様であるインターホンシステムにおいて、ゲートウェイは、電話装置から内線着信信号を受けた時には、室内親機に対してモニタ開始信号を送出し、玄関子機と電話装置との通話路を確立する信号変換回路を備えたものである。このようなインターホンシステムによれば、住居内の居住者がネットワーク配線に接続された電話装置で玄関の状態をモニタできるようになる。
【００１５】
本発明の第１０の態様は第３の態様、第４の態様または第６の態様であるインターホンシステムにおいて、ゲートウェイは、玄関子機からの映像信号をテレビ電話、テレビ電話機能付携帯電話、電話装置の少なくとも１つで再生可能な映像信号に変換するための信号変換回路を備えたものである。このようなインターホンシステムによれば、玄関子機からの映像信号を再生する機器をテレビ電話、テレビ電話機能付携帯電話、電話装置の何れをも使用できる。
【００１６】
本発明の第１１の態様は第１の態様乃至第１０の態様のうち何れか１つの態様であるインターホンシステムにおいて、ゲートウェイは、通話路を確立している時点で外部端末からＤＴＭＦ等の電気錠解錠信号が入力した時には、室内親機に対して電気錠解錠データ信号に変換して送出する信号変換回路を備えたものである。このようなインターホンシステムによれば、外部端末で電気錠を解錠できるようになる。
【００１７】
本発明の第１２の態様は第１の態様乃至第１１の態様のうち何れか１つの態様であるインターホンシステムにおいて、ゲートウェイまたは室内親機は、外部端末と玄関子機との通話路を確立した際に、外部端末からの音声信号を遮断し、玄関子機からの映像信号又は音声信号を通過させて玄関子機からの片方向通話とする信号変換回路を備えたものである。このようなインターホンシステムによれば、玄関子機からの呼び出しと同時に来訪者の映像を見て音声を聞くことができるので、外部端末で応答操作する前に来訪者を確認することができる。
【００１８】
本発明の第１３の態様は第１２の態様であるインターホンシステムにおいて、ゲートウェイは、外部端末からＤＴＭＦ等の通話開始信号が入力した時には、ネットワーク配線からの音声信号を通過させて双方向通話を開始する信号変換回路を備えたものである。このようなインターホンシステムによれば、居住者は来訪者を確認し通話開始信号を送信することで、外部端末で双方向通話に移行させることができる。
【００１９】
本発明の第１４の態様は第１２の態様であるインターホンシステムにおいて、ゲートウェイは、外部端末から一定レベル以上の音声信号が入力した時には、ネットワーク配線からの音声信号を通過させて双方向通話を開始する信号変換回路を備えたものである。このようなインターホンシステムによれば、音声で返答するだけで、外部端末で双方向通話に移行させることができる。
【００２０】
本発明の第１５の態様は第１の態様乃至第１４の態様のうち何れか１つの態様であるインターホンシステムにおいて、室内親機は、火災感知器等のセキュリティ機器が接続できるものであって、ゲートウェイは、室内親機からセキュリティ発報信号を受信した時、外部端末に対して外線呼出を行なうと共に、通話路が確立された時点でセキュリティ信号としての音声又は画像信号を送出する信号変換回路を備えたものである。このようなインターホンシステムによれば、セキュリティ機器が火災等を感知すると、外部端末に対してセキュリティ警報があったことを知らせることができる。
【発明の効果】
【００２１】
本発明のインターホンシステムによれば、既に光ファイバー等を使用した外部ネットワークによりテレビ電話環境が構築されている住居においては、通信契約や外部への通信インフラストラクチャーを追加することなく、玄関子機と、室内および外部の通信機器とで通話できるようになる。
【発明を実施するための最良の形態】
【００２２】
以下、本発明のインターホンシステムにおける好ましい実施の形態例について図面を参照して説明する。図１は本発明の好ましい実施の形態例によるインターホンシステムを示すブロック図である。
【００２３】
図１に示す本発明のインターホンシステムは、例えば戸建住宅ＤＨに設置され、この戸建住宅ＤＨには、玄関に設置され来訪者が居住者を呼び出し通話するための玄関子機１と、玄関子機１と接続されて室内に設置され玄関子機１からの呼び出しに応じて通話を行う室内親機２とを備えたテレビドアホン装置が設けられている。玄関子機１は、来訪者が居住者を呼び出すための呼出ボタン１０と、来訪者と通話するための子機マイク１１、子機スピーカ１２と、玄関周辺や来訪者を撮像しテレビ電話の映像信号として玄関子機１から室内親機２へ信号を伝送する子機カメラ１３とを備えている。室内親機２は、玄関子機１からの呼び出し、即ち、来訪者による呼び出しがあることを示す呼出音を出力すると共に居住者が来訪者との間で通話を行うための音声を出力させるための親機スピーカ２０と、居住者が来訪者との間で通話を行うための親機マイク２１と、玄関子機１の子機カメラ１３にて撮像された映像を出画するためのＬＣＤ（Liquid Crystal Display）、有機ＥＬ（Electro Luminescence）等の親機モニタ２２とを備えている。また、室内親機２には、火災感知器、ガス漏れ検知器、防犯センサ等のセキュリティ機器８と、玄関等の扉に設置された電気錠１００とが接続されている。なお、室内親機２に玄関子機１と同等の機能を有する増設玄関子機１‘が接続されていてもよい。
【００２４】
また、この戸建住宅ＤＨには、光ファイバー等による公衆網及び携帯電話網と通話可能なテレビ電話のための通信インフラストラクチャーが予め構築されている。この通信インフラストラクチャーは、光ファイバー等による公衆網及び携帯電話網である外部ネットワークＬ３に接続されるＩＰ電話回線終端装置４と、ＩＰ電話回線終端装置４のデジタル端子にＬＡＮケーブルによるネットワーク配線Ｌ２を介して接続され無線ＬＡＮアクセスポイントを有するハブ１１０と、ハブ１１０にネットワーク配線Ｌ２によって接続されテレビ電話、インターネット接続、メール・映像の送受信する機能を有する電話装置６Ａとを備えている。また、ハブ１１０にはテレビ電話、インターネット接続、メール・映像の送受信する機能を有する携帯型電話装置６Ｂが無線接続されている。
【００２５】
ＩＰ電話回線終端装置４はブロードバンドルータの機能も有しているが、回線終端装置とブロードバンドルータとは別個に配置してもよい。このＩＰ電話回線終端装置４はアナログ端子に、外線通話のために居室内に設置されるＦＡＸ機能付アナログ電話７Ａやアナログ電話７Ｂを接続することも可能である。
【００２６】
テレビ電話、インターネット接続、メール・映像の送受信する機能を有する電話装置６Ａ、携帯型電話装置６Ｂは、それぞれモニタ６１、マイク６２、スピーカ６３、カメラ６４を備えている。なお、テレビ電話機能がない場合にはカメラ６４を備えなくともよい。
【００２７】
外部ネットワークＬ３の公衆網には、外部端末であるテレビ電話５Ａが接続されている。また、外部ネットワークＬ３の携帯電話網には、外部端末であるテレビ電話機能付携帯電話５Ｂが基地局１０を介して無線接続されている。テレビ電話５Ａ、テレビ電話機能付携帯電話５Ｂはそれぞれモニタ５１、マイク５２、スピーカ５３、カメラ５４を備えている。なお、テレビ電話機能がない場合には、カメラ５４を備えなくともよい。
【００２８】
このような室内親機２とＩＰ電話回線終端装置４とはゲートウェイ３によって接続されている。室内親機２は伝送線Ｌ１によってゲートウェイ３に接続され、ＩＰ電話回線終端装置４はハブ１１０にネットワーク配線Ｌ２によって接続されている。
【００２９】
ゲートウェイ３は、通信媒体や伝送方式が異なるデータを相互に変換して異機種間で通信可能とする機器で、音声変換ＩＣ（Integrated Circuit）、画像変換ＩＣ等で構成され室内親機２からの呼出信号、映像信号を、電話装置６Ａ、携帯型電話装置６Ｂの内線又はテレビ電話５Ａ、テレビ電話機能付携帯電話５Ｂの外線と通話可能に変換する信号変換回路３１とを備えている。信号変換回路３１は、信号変換設定により、呼出信号を内線となる電話装置６Ａ、携帯型電話装置６Ｂ、および／または呼出信号を外線となるテレビ電話５Ａ、テレビ電話機能付携帯電話５Ｂに出力する基本信号変換機能を有している。なお、このゲートウェイ３に接続される室内親機２には、当該ゲートウェイ３と呼出信号、映像信号等を送受する送受信回路２３を備えている。また、送受信回路２３は増設室内親機接続回路（図示せず）を使用して、ゲートウェイ３の信号変換回路３１が増設室内親機への信号を受信して変換してもよい。
【００３０】
また、信号変換回路３１は、玄関子機１の呼出ボタン１０による呼出操作に基づく呼出信号を伝送線Ｌ１を介して受信すると、前述したようにテレビ電話５Ａ、テレビ電話機能付携帯電話５Ｂを呼び出すためにＩＰ電話回線終端装置４に外線発信信号を送り、玄関子機１とテレビ電話５Ａあるいはテレビ電話機能付携帯電話５Ｂとの通話路を確立する第１の信号変換機能を有している。これにより、インターネット通信用のＩＰ電話回線終端装置４と、玄関子機１との通信用の室内親機２とを接続したゲートウェイ３が玄関子機１からの呼出操作に基づく呼出信号を伝送線Ｌ１を介して受信すると、ＩＰ電話回線終端装置４に外線発信信号を送り、玄関子機１とテレビ電話５Ａあるいはテレビ電話機能付携帯電話５Ｂとの通話路を確立できるように制御するので、通信契約や外部への通信インフラストラクチャーを追加することなく、玄関子機と外部端末で通話できる状態にすることができる。
【００３１】
また、信号変換回路３１は、テレビ電話５Ａあるいはテレビ電話機能付携帯電話５Ｂから玄関子機１への映像信号出力があった場合に、映像信号出力を阻止して音声信号のみを通過させる第２の信号変換機能を有している。テレビドアホン装置は室内親機２または増設室内親機から玄関子機１への映像信号を伝送することができないため、通話がテレビ電話通話であっても玄関子機１とテレビ電話５Ａあるいはテレビ電話機能付携帯電話５Ｂとの通話の場合には、テレビ電話５Ａあるいはテレビ電話機能付携帯電話５Ｂからの映像信号を阻止することで、映像信号が一方向でしか伝送されないインターホン装置の通信インターフェースとの整合を取ることができる。
【００３２】
また、信号変換回路３１は、玄関子機１からの呼出操作に基づく呼出信号を伝送線Ｌ１を介して受信すると、前述したように電話装置６Ａあるいは６Ｂを呼び出すために、ネットワーク配線Ｌ２を介して電話装置６Ａあるいは６Ｂに内線発信信号を送り、玄関子機１と電話装置６Ａあるいは６Ｂとの通話路を確立する第３の信号変換機能を有している。これにより、ネットワーク配線Ｌ２に接続された電話装置６Ａあるいは６Ｂで玄関子機１と通話できるようになる。
【００３３】
また、信号変換回路３１は、テレビ電話５Ａあるいはテレビ電話機能付携帯電話５Ｂから外線着信信号を受けた時には、室内親機２に対してモニタ開始信号を送出し、玄関子機１とテレビ電話５Ａあるいはテレビ電話機能付携帯電話５Ｂとの通話路を確立する第４の信号変換機能を有している。これにより、外出中の居住者が外線となるテレビ電話５Ａあるいはテレビ電話機能付携帯電話５Ｂで玄関子機１を操作して玄関の状態をモニタできるようになる。
【００３４】
また、信号変換回路３１は、テレビ電話５Ａあるいはテレビ電話機能付携帯電話５Ｂから外線着信信号を着信するための機器固有の電話番号をもつことにより、機器固有の電話番号以外による着信を無視する第５の信号変換機能を有している。これにより、ネットワーク配線Ｌ２に接続された電話装置６Ａあるいは６Ｂが玄関子機１へのモニタ開始信号に対して誤応答することを防ぐことができる。
【００３５】
また、信号変換回路３１は、電話装置６Ａあるいは６Ｂから内線着信信号を受けた時には、室内親機２に対してモニタ開始信号を送出し、玄関子機１と電話装置６Ａあるいは６Ｂとの通話路を確立する第６の信号変換機能を有している。これにより、住居内の居住者が内線となる電話装置６Ａあるいは６Ｂで玄関子機１を操作して玄関の状態をモニタできるようになる。
【００３６】
また、信号変換回路３１は、玄関子機１からの映像信号をテレビ電話５Ａ、テレビ電話機能付携帯電話５Ｂ、電話装置６Ａ、６Ｂの少なくとも１つで再生可能な映像信号に変換する第７の信号変換機能を有している。これにより、玄関子機１からの映像信号を再生する機器をテレビ電話５Ａ、テレビ電話機能付携帯電話５Ｂ、電話装置６Ａ、６Ｂの何れをも使用できる。
【００３７】
また、信号変換回路３１は、通話路を確立している時点でテレビ電話５Ａあるいはテレビ電話機能付携帯電話５ＢからＤＴＭＦ（Dual Tone Multi Frequency）等の電気錠解錠信号が入力した時には、室内親機２に対して電気錠解錠データ信号に変換して送出する第８の信号変換機能を有している。これにより、テレビ電話５Ａあるいはテレビ電話機能付携帯電話５Ｂで電気錠を解錠できるようになる。なお、信号変換回路３１の第８の信号変換機能はゲートウェイ３に対する信号変換設定によっては、テレビ電話５Ａあるいはテレビ電話機能付携帯電話５Ｂだけではなく、通話路を確立している時点で電話装置６Ａあるいは６ＢからＤＴＭＦ等の電気錠解錠信号が入力した時にも、室内親機２に対して電気錠解錠データ信号に変換して送出することができる。
【００３８】
また、信号変換回路３１は、テレビ電話５Ａあるいはテレビ電話機能付携帯電話５Ｂと玄関子機１との通話路を確立した際に、テレビ電話５Ａあるいはテレビ電話機能付携帯電話５Ｂからの音声信号を遮断し、玄関子機１からの映像信号又は音声信号を通過させて玄関子機１からの片方向通話とする第９の信号変換機能を有している。これにより、玄関子機１からの呼び出しと同時に来訪者の映像を見て音声を聞くことができるので、テレビ電話５Ａあるいはテレビ電話機能付携帯電話５Ｂで応答操作したことを来訪者に気付かれることなく当該来訪者を確認することができる。
【００３９】
また、信号変換回路３１は、テレビ電話５Ａあるいはテレビ電話機能付携帯電話５ＢからＤＴＭＦ等の通話開始信号が入力した時には、ネットワーク配線Ｌ２からの音声信号を通過させて双方向通話を開始する第１０の信号変換機能を有している。これにより、居住者は来訪者を確認し通話開始信号を送信することで、テレビ電話５Ａあるいはテレビ電話機能付携帯電話５Ｂで双方向通話に移行させることができる。なお、信号変換回路３１の第１０の信号変換機能はゲートウェイ３に対する信号変換設定によっては、テレビ電話５Ａあるいはテレビ電話機能付携帯電話５Ｂだけではなく、電話装置６Ａあるいは６ＢからＤＴＭＦ等の通話開始信号が入力した時でも、ネットワーク配線Ｌ２からの音声信号を通過させて双方向通話を開始させることができる。
【００４０】
また、信号変換回路３１は、テレビ電話５Ａあるいはテレビ電話機能付携帯電話５Ｂから一定レベル以上の音声信号が入力した時には、ネットワーク配線Ｌ２からの音声信号を通過させて双方向通話を開始する第１１の信号変換機能を有している。これにより、音声で返答するだけで、テレビ電話５Ａあるいはテレビ電話機能付携帯電話５Ｂで双方向通話に移行させることができる。なお、信号変換回路３１の第１１の信号変換機能はゲートウェイ３に対する信号変換設定によっては、テレビ電話５Ａあるいはテレビ電話機能付携帯電話５Ｂだけではなく、電話装置６Ａあるいは６Ｂから一定レベル以上の音声信号が入力した時にも、ネットワーク配線Ｌ２からの音声信号を通過させて双方向通話を開始することができる。
【００４１】
また、信号変換回路３１は、室内親機２からセキュリティ発報信号を受信した時、テレビ電話５Ａあるいはテレビ電話機能付携帯電話５Ｂに対して外線呼出を行なうと共に、通話路が確立された時点でセキュリティ信号としての音声又は画像信号を送出する第１２の信号変換機能を有している。これにより、セキュリティ機器８が火災等を感知すると、テレビ電話５Ａあるいはテレビ電話機能付携帯電話５Ｂに対してセキュリティ警報があったことを知らせることができる。なお、信号変換回路３１の第１０の信号変換機能はゲートウェイ３に対する信号変換設定によっては、テレビ電話５Ａあるいはテレビ電話機能付携帯電話５Ｂだけではなく、室内親機２からセキュリティ発報信号を受信した時、電話装置６Ａあるいは６Ｂに対して外線呼出を行なうと共に、通話路が確立された時点でセキュリティ信号としての音声又は画像信号を送出することができる。
【００４２】
このように構成されたインターホンシステムにおいて、玄関子機１で内線呼出する場合について説明する。
【００４３】
来訪者が玄関子機１の呼出ボタン１０を押すと、室内親機２のスピーカ２０で呼出音が出力し、玄関子機１のカメラ１３で撮像された映像が室内親機２のモニタ２２に出力されると共に、ゲートウェイ３に呼出信号と映像信号が送信される。ゲートウェイ３は、呼出先が例えば内線となる電話装置６Ａに予め設定されている場合には信号変換回路３１の第３の信号変換機能により、映像信号をテレビ電話で見ることができる形式の信号に変換し内線発信信号と共に、電話装置６Ａにネットワーク配線Ｌ２を介して配信する。電話装置６Ａは内線発信信号を受信すると、来訪者の映像をモニタ６１に表示して呼出音をスピーカ６３から出力する。
【００４４】
在室中の居住者が電話装置６Ａで応答すると、玄関子機１と電話装置６Ａとの通話路が確立されるので、玄関子機１のカメラ１３で撮像された映像を見ながら電話装置６Ａのマイク６２、スピーカ６３と、玄関子機１のマイク１１、スピーカ１２で通話することができる。
【００４５】
次に、玄関子機１で外線呼出する場合について説明する。
【００４６】
来訪者が玄関子機１の呼出ボタン１０を押すと、室内親機２のスピーカ２０で呼出音が出力され、玄関子機１のカメラ１３で撮像された映像が室内親機２のモニタ２２に出力されると共に、ゲートウェイ３に呼出信号と映像信号が送信される。ゲートウェイ３は、呼出先が例えば外線となるテレビ電話機能付携帯電話５Ｂに予め設定されている場合には信号変換回路３１の第１の信号変換機能により、映像信号をテレビ電話で見ることができる形式の信号に変換し外線発信信号と共に、ネットワーク配線Ｌ２に配信する。ＩＰ電話回線終端装置４はネットワーク配線Ｌ２を介して外線発信信号を受信すると、公衆回線網である外部ネットワークＬ３に対して、呼出先番号をテレビ電話機能付携帯電話５Ｂの携帯電話番号として呼出信号を送信する。この携帯電話番号は、予めゲートウェイ３またはＩＰ電話回線終端装置４に記憶しておく。
【００４７】
テレビ電話機能付携帯電話５Ｂは、呼出信号を受信すると、テレビ電話の着信があることを液晶表示に表示しながらスピーカ５３から呼出音を鳴動させる。ここで、外出中の居住者がテレビ電話機能付携帯電話５Ｂで応答すると、ゲートウェイ３は制御回路３１の第２の信号変換機能および第９の信号変換機能により、玄関子機１とテレビ電話機能付携帯電話５Ｂとの通話路が確立されるので、液晶表示に表示された玄関子機１のカメラ１３で撮像された映像を、テレビ電話機能付携帯電話５Ｂのモニタ５１で見ながら玄関子機１のマイク１１からの音声を聞くことができるが、テレビ電話機能付携帯電話５Ｂからの音声は玄関子機１では聞くことができず、玄関子機１の前にいる来訪者にはカメラ１３で撮像されていることに気付くことはない。
【００４８】
ここで、外出中の居住者がテレビ電話機能付携帯電話５Ｂで通話するために、例えば＃ボタンを押すと、通話開始信号が外部ネットワークＬ３→ＩＰ電話回線終端装置４→ネットワーク配線Ｌ２を介してゲートウェイ３で受信され、ゲートウェイ３は通話開始信号に基づき制御回路３１の第１０の信号変換機能により室内親機２への音声信号送信を開始するので、双方向通話を行なうことができる。また、外出中の居住者がテレビ電話機能付携帯電話５Ｂのマイク５２により音声で返答して、その一定レベル以上の音声信号が外部ネットワークＬ３→ＩＰ電話回線終端装置４→ネットワーク配線Ｌ２を介してゲートウェイ３で受信されると、ゲートウェイ３は一定レベル以上の音声信号に基づき制御回路３１の第１１の信号変換機能により、居住者が双方向通話開始の意思表示をしたとみなしてネットワーク配線Ｌ２から室内親機２への音声信号送信を開始するので、双方向通話を行なうことができる。なお、訪問販売者等の返答の必要のない来訪者であれば返答せずにそのまま電話を切ればよい。
【００４９】
また、ゲートウェイ３は外線呼出と同時に内線呼出を行なうようにしてもよい。ゲートウェイ３は、内線と外線を同時に呼び出した場合には、何れか一方で応答した時点で他方には切断信号を送出する。
【００５０】
次に、玄関の状態を玄関子機１のカメラ１３でモニタする場合について説明する。
【００５１】
外出中の居住者が例えばテレビ電話機能付携帯電話５Ｂで、予めゲートウェイ３に割り当てられた電話番号に電話をかけると、ＩＰ電話回線終端装置４が外線着信信号を受信する。ＩＰ電話回線終端装置４は、当該電話番号がＦＡＸ機能付アナログ電話７Ａやアナログ電話７Ｂに割り当てられた電話番号でなく、ゲートウェイ３に割り当てられた電話番号であることを認識すると、ＦＡＸ機能付アナログ電話７Ａやアナログ電話７Ｂには呼出信号を送らず、ネットワーク配線Ｌ２のみに外線着信信号を送出することにより、ゲートウェイ３がＩＰ電話回線終端装置４を経由して外線着信信号を受信する。ゲートウェイ３は外線着信信号を受信すると、制御回路３１の第４の信号変換機能により室内親機２に対してモニタ開始信号を送出するので、室内親機２は玄関子機１の子機マイク１１、子機カメラ１３を駆動させ、玄関子機１とテレビ電話機能付携帯電話５Ｂとの通話路が確立される。ゲートウェイ３は、玄関子機１の子機カメラ１３で撮像された映像の映像信号と子機マイク１１からの音声信号を、ネットワーク配線Ｌ２→ＩＰ電話回線終端装置４→外部ネットワークＬ３を介してテレビ電話機能付携帯電話５Ｂに送信する。テレビ電話機能付携帯電話５Ｂは、玄関子機１の子機カメラ１３で撮像された映像を見ながら玄関子機１の子機マイク１１からの音声を聞くことができる。
【００５２】
また、玄関子機１の子機カメラ１３で不審者を発見した場合には、外出中の居住者が例えばテレビ電話機能付携帯電話５Ｂの＃ボタンを押すと、通話開始信号が外部ネットワークＬ３→ＩＰ電話回線終端装置４→ネットワーク配線Ｌ２を介してゲートウェイ３で受信され、ゲートウェイ３は通話開始信号に基づき制御回路３１の第１０の信号変換機能により室内親機２への音声信号送信を開始するので、双方向通話を行なうことができ不審者を威嚇することが可能になる。また、外出中の居住者がテレビ電話機能付携帯電話５Ｂのマイク５２により音声で返答して、その一定レベル以上の音声信号が外部ネットワークＬ３→ＩＰ電話回線終端装置４→ネットワーク配線Ｌ２を介してゲートウェイ３で受信されると、ゲートウェイ３は一定レベル以上の音声信号に基づき制御回路３１の第１１の信号変換機能により、居住者が双方向通話開始の意思表示をしたとみなしてネットワーク配線Ｌ２から室内親機２への音声信号送信を開始するので、双方向通話を行なうことができ不審者を威嚇することが可能になる。
【００５３】
なお、ゲートウェイ３の制御回路３１の第４の信号変換機能を動作させるのは、テレビ電話機能付携帯電話５Ｂだけでなく、外線となるテレビ電話５Ａや内線となる電話装置６Ａあるいは６Ｂで予めゲートウェイ３に割り当てられた電話番号に電話をかけた場合でも同様である。内線となる電話装置６Ａあるいは６Ｂの場合は、ゲートウェイ３の制御回路３１の第６の信号変換機能により内線発信になるので、ＩＰ電話回線終端装置４を経由せずゲートウェイ３が直接、内線着信信号を受信するが、それ以外の動作は外線の場合と同様である。
【００５４】
次に、玄関等の扉に設置された電気錠１００を解錠する場合について説明する。
【００５５】
外出中の居住者が例えばテレビ電話機能付携帯電話５Ｂで通話中に玄関等の扉に設置された電気錠１００を解錠する場合には、テレビ電話機能付携帯電話５Ｂの例えば＊ボタンを押すと、電気錠解除信号が外部ネットワークＬ３→ＩＰ電話回線終端装置４→ネットワーク配線Ｌ２を介してゲートウェイ３で受信され、ゲートウェイ３は電気錠解除信号に基づき制御回路３１の第８の信号変換機能により室内親機２に対して電気錠解除データ信号を送出する。室内親機２は電気錠解除データ信号に基づき電気錠１００を解錠することができる。
【００５６】
なお、ゲートウェイ３の制御回路３１の第８の信号変換機能を動作させるのは、テレビ電話機能付携帯電話５Ｂだけでなく、外線となるテレビ電話５Ａや内線となる電話装置６Ａあるいは６Ｂからの電気錠解除信号によっても同様に電気錠１００を解錠することができる。
【００５７】
次に、セキュリティ機器８がセキュリティ警報を発報する場合について説明する。
【００５８】
セキュリティ機器８がセキュリティ信号を室内親機２に送出すると、室内親機２は警報音を玄関子機１の子機スピーカ１２から出力させると共に、ゲートウェイ３にセキュリティ発報信号を送信する。ゲートウェイ３はセキュリティ発報信号に基づき制御回路３１の第１２の信号変換機能により、例えばテレビ電話機能付携帯電話５Ｂに対してセキュリティ発報データ信号を送出する。セキュリティ発報データ信号がネットワーク配線Ｌ２→ＩＰ電話回線終端装置４→外部ネットワークＬ３を介してテレビ電話機能付携帯電話５Ｂに送出されると、テレビ電話機能付携帯電話５Ｂのスピーカ５３からセキュリティ発報音が出力されるので、外出中の居住者は住宅ＤＨにおいてセキュリティ異常があったことを確認できる。このセキュリティ異常を知らされた外出中の居住者がテレビ電話機能付携帯電話５Ｂで応答すると、制御回路３１の第１２の信号変換機能により、玄関子機１とテレビ電話機能付携帯電話５Ｂとの通話路が確立されるので、居住者は玄関子機１のセキュリティ警報を聞いて駆けつけた近隣の人と双方向通話を行うことができる。
【００５９】
なお、この第１〜第１２の信号変換機能を有している信号変換回路３１は、ゲートウェイ３ではなく室内親機２に備えさせてもよい。さらには、ゲートウェイ３を室内親機２に内蔵させることも好適である。
【００６０】
また、上述した本実施例では内線呼出、内線からの玄関モニタすることを電話装置６Ａあるいは６Ｂに限定して記載したが、これに限らず、ゲートウェイ３の信号変換回路３１が有している第１〜第１２の信号変換機能をＦＡＸ機能付アナログ電話７Ａやアナログ電話７Ｂに適用させてもよい。この場合には、ＩＰ電話回線終端装置４がゲートウェイ３からの内線着信信号を受信するとＦＡＸ機能付アナログ電話７Ａやアナログ電話７Ｂに呼出信号を送ると共に、ＩＰ電話回線終端装置４がＦＡＸ機能付アナログ電話７Ａやアナログ電話７Ｂから内線着信信号を受信するとゲートウェイ３に呼出信号を送ることによって実現することができる。
【００６１】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００６２】
【図１】図１は、本発明のインターホンシステムによる好ましい実施の形態例を示すブロック図である。
【符号の説明】
【００６３】
１……玄関子機
１３……子機カメラ
２……室内親機
３……ゲートウェイ
３１……信号変換回路
４……ＩＰ電話回線終端装置
５Ａ……テレビ電話（外部端末）
５Ｂ……テレビ電話機能付携帯電話（外部端末）
６Ａ、６Ｂ……電話装置
６１……モニタ
８……セキュリティ機器
Ｌ１……伝送線
Ｌ２……ネットワーク配線
Ｌ３……外部ネットワーク
【図１】
2007274177.tif 000003